(57)【要約】【課題】  弾性変形による拡径範囲を大きくできるようにして、蛇口の種々の形状に対応できることは勿論の事、蛇口より大きく異形の水の流出部にも接続できるようにして汎用性を高めた。【解決手段】  一端側に蛇口Ｂに接続される蛇口接続部２０を有し、他端側に所定の口径を有する管体Ｐに接続される管体接続部３０を有し、蛇口Ｂと管体Ｐとを接続して蛇口Ｂからの流体を管体Ｐに流す蛇口用接続アダプタＡにおいて、蛇口接続部２０を、肉厚ｔが０．５ｍｍ≦ｔ≦３ｍｍ，通常状態の内径Ｄ１が１５ｍｍ≦Ｄ１≦４０ｍｍで、弾性変形により内径Ｄ２が１７ｍｍ≦Ｄ２≦５０ｍｍに拡径可能になる樹脂製チューブで構成した。【選択図】  図１
2005098352.tif 000002
【特許請求の範囲】
【請求項１】
一端側に蛇口に接続される蛇口接続部を有し、他端側に所定の口径を有する管体に接続される管体接続部を有し、上記蛇口と管体とを接続して蛇口からの流体を管体に流す蛇口用接続アダプタにおいて、
上記蛇口接続部を、肉厚ｔが０．５ｍｍ≦ｔ≦３ｍｍ，通常状態の内径Ｄ１が１５ｍｍ≦Ｄ１≦４０ｍｍで、弾性変形により内径Ｄ２が１７ｍｍ≦Ｄ２≦５０ｍｍに拡径可能になる樹脂製チューブで構成したことを特徴とする蛇口用接続アダプタ。
【請求項２】
上記管体接続部を、上記管体に挿入される管状の管体挿入部と、該管体挿入部に連接されチューブの通常状態の内径Ｄ１よりも大きな外径を有し該チューブが取り付けられる管状のチューブ取付部とを備えて構成し、上記チューブを上記チューブ取付部に被嵌して取り付けたことを特徴とする請求項１記載の蛇口用接続アダプタ。
【請求項３】
上記管体挿入部と上記チューブ取付部とをネジ結合により連接し互いに着脱可能にしたことを特徴とする請求項２記載の蛇口用接続アダプタ。
【請求項４】
上記管体挿入部の外周に、凸条を列設したことを特徴とする請求項２または３記載の蛇口用接続アダプタ。
【請求項５】
上記蛇口接続部を構成するチューブに外挿され該チューブを締め付け及び締め付け解除可能なリングを備えたことを特徴とする請求項１，２，３または４記載の蛇口用接続アダプタ。
【発明の詳細な説明】
【技術分野】
【０００１】
本発明は、主に住宅に設けられる家庭用の蛇口に使用される蛇口用接続アダプタに係り、特に、種々の形状の蛇口と管体とを接続して蛇口からの流体を管体に流す蛇口用接続アダプタに関する。
【背景技術】
【０００２】
従来、この種の蛇口用接続アダプタにあっては特許文献１（特開平１０−６１８５４号公報）に記載されたものが知られている。
【０００３】
図５に示すように、この蛇口用接続アダプタＡ１は、シリコンゴムを素材として射出成型により一体に成型され、外径４０ｍｍ，長さ７０ｍｍの厚肉短管状に形成されている。
また、蛇口用接続アダプタＡ１は、内部に断面略中央部に軸方向に沿うように形成された直径８ｍｍの断面丸形の通水路１と、この通水路１の一端側に形成され蛇口Ｂが接続される蛇口接続部２とを備えている。
蛇口接続部２は、直径８ｍｍにして長さ２０ｍｍの円錐台形状からなる断面丸形孔部２ａに形成されている。更に、この断面丸形孔部２ａに連なる対角線８ｍｍにして長さ２０ｍｍからなる断面角形孔部２ｂとの組合せから構成されるように形成されている。
【０００４】
また、蛇口用接続アダプタＡ１の通水路１の他端側は、管体接続部３として使用されている。この管体接続部３には、管体Ｐがねじ込まれ、この管体Ｐをシリコンゴムの弾発力により保持する。
この蛇口用接続アダプタＡ１を使用する場合は、予め、管体接続部３に管体Ｐをねじ込んで接続しておく。次に、蛇口接続部２の断面丸形孔部２ａを蛇口Ｂに当接させて、蛇口Ｂの先端部分が断面角形孔部２ｂに至るまで回動させながら蛇口Ｂ側に押圧して取り付ける。
この際、蛇口接続部２は、拡径するとともにゴムの弾発力により、蛇口Ｂに密着する。
また、この際、蛇口Ｂの形状が、丸形，角形等形状や大きさを異にするものであっても、蛇口接続部２は、蛇口Ｂと断面丸形孔部２ａと断面角形孔部２ｂのうちいずれか一方の孔部と水密状に密着する。
そして、蛇口Ｂを開にして、蛇口Ｂからの流体を管体Ｐに流す。
【０００５】
【特許文献１】特開平１０−６１８５４号公報
【発明の開示】
【発明が解決しようとする課題】
【０００６】
ところで、このような従来の蛇口用接続アダプタＡ１にあっては、ある程度形状の異なる蛇口Ｂに対応はできるものの、蛇口用接続アダプタＡ１が肉厚なので、弾性変形がしにくく、そのため、拡径範囲が小さく蛇口の外径の大きさに対する対応が十分にできず、汎用性に劣るという問題があった。
また、蛇口接続部２を、例えば、シャワーヘッドのような一般に家庭用の蛇口より外形が大きく異形の水の流出部には接続できないという問題があった。
【０００７】
本発明は上記の問題点に鑑みて為されたもので、弾性変形による拡径範囲を大きくできるようにして、蛇口の種々の形状に対応できることは勿論の事、蛇口より大きく異形の水の流出部にも接続できるようにして汎用性を高めた蛇口用接続アダプタを提供することを目的とする。
【課題を解決するための手段】
【０００８】
このような目的を達成するための本発明の蛇口用接続アダプタは、一端側に蛇口に接続される蛇口接続部を有し、他端側に所定の口径を有する管体に接続される管体接続部を有し、上記蛇口と管体とを接続して蛇口からの流体を管体に流す蛇口用接続アダプタにおいて、上記蛇口接続部を、肉厚ｔが０．５ｍｍ≦ｔ≦３ｍｍ，通常状態の内径Ｄ１が１５ｍｍ≦Ｄ１≦４０ｍｍで、弾性変形により内径Ｄ２が１７ｍｍ≦Ｄ２≦５０ｍｍに拡径可能になる樹脂製チューブで構成している。
【０００９】
これにより、管体が蛇口に直接取り付けられる場合は、管体を直接蛇口に取り付ける一方、管体を直接蛇口に取り付けることができない場合に本発明の蛇口用接続アダプタを用いる。
蛇口用接続アダプタを蛇口に接続する場合には、例えば、管体を予め取り付けた蛇口用接続アダプタの蛇口接続部であるチューブの開口を指等で広げて蛇口に被嵌する。
【００１０】
この際、チューブは、拡径可能な比較的薄肉厚の樹脂製チューブで構成されていることから、少しの力でも拡径させ易くなり、蛇口に容易に装着できる。
また、蛇口用接続アダプタが比較的薄肉厚なので、弾性変形し易く、そのため、拡径範囲を大きくでき、蛇口の外径の大きさに対して広い範囲で対応できるようになり、汎用性が向上させられる。
更に、チューブは比較的薄肉厚で変形が容易なので、蛇口の形状を問わず蛇口用接続アダプタを装着できる。また、チューブは変形が容易なので、シャワーヘッド等の蛇口以外のものにも装着でき、汎用性が向上させられる。
【００１１】
次に、蛇口を操作して、蛇口から流体を送出する。蛇口から送出された流体は、蛇口接続部であるチューブ，管体接続部を通り管体に流される。
この際、蛇口の外周がチューブで被せられているので、蛇口からの流体のほとんどは、蛇口用接続アダプタの内部を流れて管体に到達する。また、この際、蛇口とチューブの密着性が良いことから、蛇口の外周とチューブの間に隙間ができにくくなり、漏水が防止される。
【００１２】
この蛇口用接続アダプタを蛇口から取り外す場合は、蛇口接続部であるチューブを拡径して蛇口から取り外す。この際、チューブの肉厚が比較的薄いことから拡径し易いので、取り外しが容易になる。
【００１３】
また、必要に応じ、上記管体接続部を、上記管体に挿入される管状の管体挿入部と、該管体挿入部に連接されチューブの通常状態の内径Ｄ１よりも大きな外径を有し該チューブが取り付けられる管状のチューブ取付部とを備えて構成し、上記チューブを上記チューブ取付部に被嵌して取り付けている。
チューブをチューブ取付部に被嵌するだけで蛇口接続部に管体接続部を容易に取り付けることができ、構造が簡単なので、コスト安になる。また、チューブが劣化しても交換が容易になる。
【００１４】
更に、必要に応じ、上記管体挿入部と上記チューブ取付部とをネジ結合により連接し互いに着脱可能にしている。
この場合、蛇口用接続アダプタを用いる前に、予め、管体の口径に合うように、管体挿入部の外径が最適なものを選ぶとともに、使用するチューブの内径に合うようにチューブ取付部の外径が最適なものを選び、そして、このチューブ取付部に管体挿入部を連接する。そのため、管体やチューブの径に合わせて、組み合わせが選択できるので、管体挿入部と管体を密着し易くでき、また、チューブとチューブ取付部を密着し易くできるので、漏水が確実に防止される。
【００１５】
また、必要に応じ、上記管体挿入部の外周に、凸条を列設している。内部に流体が流れても、この凸条が管体に引っかかることにより、管体が管体挿入部からはずれにくくなる。
【００１６】
更にまた、必要に応じ、上記蛇口接続部を構成するチューブに外挿され該チューブを締め付け及び締め付け解除可能なリングを備えている。
チューブが蛇口とともに締め付けられるので、チューブと蛇口との密着性が向上させられ、蛇口とチューブの間に隙間ができにくくなり、この点でも、漏水が防止される。
【発明の効果】
【００１７】
本発明の蛇口用接続アダプタによれば、蛇口接続部の肉厚が比較的薄いことから拡径が容易になり、蛇口への取付け，取外しが容易になるだけでなく、チューブと蛇口との密着性が向上させられ、蛇口とチューブの密着性が良いことから、蛇口とチューブとの間に隙間ができ難くなり、漏水を防止できる。また、肉厚が比較的薄く弾性変形が容易なので、蛇口の種々の形状に対応できるだけでなく、弾性変形による拡径範囲を大きくできるので、蛇口より大きく異形の水の流出部を有するものであっても拡径範囲内の外径を有するものであれば接続できるようになり、この点においても汎用性を向上させることができる。
【発明を実施するための最良の形態】
【００１８】
以下、添付図面に基づいて、本発明の実施の形態に係る蛇口用接続アダプタについて詳細に説明する。
【００１９】
図１乃至図３には、本発明の実施の形態に係る蛇口用接続アダプタＡを示している。
この蛇口用接続アダプタＡは、一端側に蛇口Ｂが接続される蛇口接続部２０を有し、他端側に所定の口径を有する管体Ｐが接続される管体接続部３０を有し、蛇口Ｂと管体Ｐとを接続して蛇口Ｂからの流体を管体Ｐに流すものである。
管体Ｐは、例えば、ゴムホース等で構成されている。
【００２０】
蛇口接続部２０は、肉厚ｔが０．５ｍｍ≦ｔ≦３ｍｍ，通常状態の内径Ｄ１が１５ｍｍ≦Ｄ１≦４０ｍｍで、弾性変形により内径Ｄ２が１７ｍｍ≦Ｄ２≦５０ｍｍに拡径可能になる樹脂製チューブで構成されている。
望ましくは、蛇口接続部２０である樹脂製チューブ２１は、その肉厚が１．２ｍｍ≦ｔ≦１．３ｍｍ，通常状態の内径Ｄ１が２５ｍｍ≦Ｄ１≦２６ｍｍ，拡径状態の内径Ｄ２が３０ｍｍ≦Ｄ２≦５０ｍｍになるように構成されている。
本発明の実施の形態においては、蛇口接続部２０は、例えば、肉厚ｔ＝１．２ｍｍ，通常状態の内径Ｄ１＝２５ｍｍ，内径Ｄ２＝４０ｍｍ，長手方向の長さが１２０ｍｍに形成されている。この場合、チューブ２１の内周の長さｌは、約７８ｍｍ≦ｌ≦約１２５ｍｍの範囲内で変形可能である。
【００２１】
また、管体接続部３０は、管体Ｐに挿入される管状の管体挿入部３１と、この管体挿入部３１に連接され蛇口接続部２０であるチューブ２１の通常状態の内径Ｄ１よりも大きな外径を有し、このチューブ２１が取り付けられる管状のチューブ取付部３２とを備えて構成されている。チューブ２１は、チューブ取付部３２に被嵌して取り付けられている。
【００２２】
管体挿入部３１は、例えば、金属で形成され、先端側に管体差込部３６を有し、基端側に雄ネジ３４を有して構成されている。管体差込部３６の外周には、複数の凸条３３が列設されている。また、管体挿入部３１の管体差込部３６の外径は、管体Ｐの通常状態の口径以上であって管体Ｐの弾性変形により拡径された口径以下に形成されている。
チューブ取付部３２は、例えば、金属で形成され、管体挿入部３１側の内壁に雄ネジ３４に螺合する雌ネジ３５が形成され、この雄ネジ３４と雌ネジ３５とにより、管体挿入部３１とチューブ取付部３２とは、互いに着脱可能に取り付けられている。
【００２３】
また、この蛇口用接続アダプタＡは、蛇口接続部２０を構成するチューブ２１に外挿され、チューブ２１を締め付け及び締め付け解除可能なリングＲを備えている。
このリングＲは、プラスチック等の樹脂で形成され、いずれか一方の面に複数の段部４１が列設される細長状の帯状体４０と、帯状体４０の長手方向のいずれか一方の端部に設けられ帯状体４０が挿通されるとともに帯状体４０の段部４１に爪４３を引っかけて帯状体の抜け止めを行なうストッパ４２とを備えている。
爪４３は、爪４３と一体に形成される凸部４４の押圧により、段部４１への引っかかりを解除することができる。
【００２４】
管体Ｐが蛇口Ｂに直接取り付けられる場合は、管体Ｐを直接蛇口Ｂに取り付ける一方、管体Ｐを直接蛇口Ｂに取り付けることができない場合には、本発明の実施の形態に係る蛇口用接続アダプタＡを用いる。
管体Ｐを直接取り付けることができない蛇口としては、例えば、図１乃至図３に示す一般家庭用の蛇口Ｂ等がある。
この蛇口Ｂは、流体が送出される送出口１１を有し断面矩形パイプ状の送出管１０と、この送出管１０を操作されて開閉するコック１２とを備えている。
この蛇口Ｂは、断面が矩形でかつ送出管１０の外周が管体Ｐの内径よりも大きく蛇口Ｂに直接取り付けることができない。また、送出口１１に管体Ｐを接続しようとしても、送出口１１は、管体Ｐを接続できるだけの長さがなく、管体Ｐが抜け易くなってしまう。そのため、蛇口用接続アダプタＡを用いて、蛇口Ｂからの流体を効率よく管体Ｐに流すようにする。
【００２５】
従って、本発明の実施の形態に係る蛇口用接続アダプタＡを用いる場合は、予め、管体Ｐの口径に合うように、管体挿入部３１の外径が最適なものを選ぶとともに、使用するチューブ２１の内径に合うようにチューブ取付部３２の外径が最適なものを選び、そして、このチューブ取付部３２に管体挿入部３１を連接する。
それから、管体接続部３０のチューブ取付部３２に蛇口接続部２０としてのチューブ２１を被嵌する。この場合、チューブ２１をチューブ取付部３２に被嵌するだけでよいので、蛇口接続部２０に管体接続部３０を容易に取り付けることができ、構造が簡単なので、コスト安になる。また、チューブ２１が劣化した場合に、交換が容易になる。一方、管体接続部３０においては、管体挿入部３１の管体差込部３６に管体Ｐを差し込む。
この場合、管体Ｐやチューブ２１の径に合わせて、管体挿入部３１とチューブ取付部３２の組み合わせが選択できるので、管体挿入部３１と管体Ｐを密着し易くできる。
【００２６】
次に、図１及び図２に示すように、管体Ｐを取り付けた蛇口用接続アダプタＡにおいて、蛇口接続部２０であるチューブ２１の開口を指等で広げて蛇口Ｂに被嵌する。
詳しくは、蛇口Ｂの送出管１０の先端部の側面下側に設けられた送出口１１がチューブ２１に塞がれないように、当該送出口１１がチューブ２１の内部に位置するとともに、チューブ２１の内壁が送出管１０の外周に密着するようにチューブ２１を蛇口Ｂの送出管１０に被嵌していく。
【００２７】
この際、チューブ２１は、拡径可能で肉厚ｔ＝１．２ｍｍの樹脂製チューブ２１で構成され、比較的薄肉厚なので、少しの力でも拡径させ易くなり、弾性変形による拡径範囲を大きくでき、蛇口Ｂに容易に装着できる。
また、蛇口用接続アダプタＡが比較的薄肉厚なので、弾性変形し易く、そのため、拡径範囲が大きくでき、蛇口Ｂの送出管１０の外径の大きさに対して広い範囲で対応できるようになり、汎用性が向上させられる。
更に、チューブ２１が比較的薄肉厚なので、送出管１０の外側の形状に合わせて変形し易くなり、送出管１０が断面矩形パイプ状であっても、送出管１０の外周に隙間なく密着していき、蛇口接続部２０であるチューブ２１と蛇口Ｂとの密着性が向上させられる。そのため、蛇口Ｂの送出口１１から流体が送出された場合、送出管１０とチューブ２１の間に隙間がなく密着しているので、この部位からの漏水が防止される。
【００２８】
次に、リングＲの帯状体４０をチューブ２１と送出管１０とが密着している箇所に回してストッパ４２に挿通する。そして帯状体４０を引っ張って、チューブ２１を送出管１０とともに締め付ける。
【００２９】
この状態で、蛇口Ｂのコック１２の操作により、送出管１０を開にして送出口１１から流体を送出する。蛇口Ｂの送出口１１から送出された流体は、蛇口接続部２０であるチューブ２１，管体接続部３０を通り、管体Ｐに流される。この際、蛇口Ｂの送出口１１は、蛇口接続部２０であるチューブ２１の内部に位置するとともに、蛇口Ｂの送出管１０の外周はチューブ２１に被せられているので、蛇口Ｂの送出口１１から送出される流体は、蛇口用接続アダプタＡの内部を流れて管体Ｐに到達する。
この際、リングＲでチューブ２１と送出管１０とが締め付けられているので、それだけ、チューブ２１と送出管１０との密着性が向上させられ、送出管１０とチューブ２１の間に隙間ができにくくなり、この点でも、漏水が防止される。
【００３０】
また、管体挿入部３１が、管体Ｐの口径に合わせて交換されているので、管体差込部３６と管体Ｐとが密着しやすくなり、この点でも漏水が防止される。
さらに、管体差込部３６には、凸条３３が列設されているので、内部に流体が流れても、この凸条３３が管体Ｐに引っかかることにより、管体Ｐが管体挿入部３１からはずれにくくなる。
【００３１】
そして次に、この蛇口用接続アダプタＡを蛇口Ｂから取り外す場合は、リングＲの凸部を押圧して爪４３の段部４１への引っかかりを解除して、リングＲの締め付けを解除する。
リングＲは、締め付け及び締め付け解除可能なので、何度も使うことができる。
次に、蛇口接続部２０であるチューブ２１を拡径して蛇口Ｂの送出管１０から取り外す。この際、チューブ２１が比較的薄肉厚なことから拡径し易いので、取り外しが容易にできる。
【００３２】
また、蛇口Ｂのみならず、例えば、図４に示すように、シャワーヘッドＨの場合にも対応できる。
シャワーヘッドＨは、例えば、送出部１０ａに複数の送出口１１ａを有している。この場合にも、上記の蛇口Ｂと同様に、送出口１１ａを塞がないようにシャワーヘッドＨの送出部１０ａにチューブ２１を被せていく。これ以外は上記のものと同様である。
【００３３】
即ち、チューブ２１は比較的薄肉厚で変形が容易なので、一般家庭用の蛇口Ｂの場合、送出部１０の外周の長さＬが７８ｍｍ＜Ｌ＜１２５ｍｍであれば、送出口１１の形状を問わず蛇口用接続アダプタＡを装着できるようになる。また、例えば、シャワーヘッドＨ等のような蛇口Ｂとは異形のものであっても、その外周Ｌ’が７８ｍｍ＜Ｌ’＜１２５ｍｍのものであればこの蛇口用接続アダプタＡを装着できるようになり、汎用性が向上させられる。
【図面の簡単な説明】
【００３４】
【図１】本発明の実施の形態に係る蛇口用接続アダプタを示す断面図である。
【図２】本発明の実施の形態に係る蛇口用接続アダプタを蛇口に装着した状態で示す斜視図である。
【図３】本発明の実施の形態に係る蛇口用接続アダプタを示す分解斜視図である。
【図４】本発明の実施の形態に係る蛇口用接続アダプタが取り付けられるシャワーヘッドの一例を示す斜視図である。
【図５】従来の、蛇口用接続アダプタの一例を示す図である。
【符号の説明】
【００３５】
Ａ  蛇口用接続アダプタ
Ｂ  蛇口
Ｐ  管体
Ｒ  リング
Ｈ  シャワーヘッド
ｔ  肉厚
Ｄ１  通常状態の内径
Ｄ２  内径
１０  送出管
１１  送出口
１２  コック
２０  蛇口接続部
２１  チューブ
３０  管体接続部
３１  管体挿入部
３２  チューブ取付部
３３  凸条
３４  雄ネジ
３５  雌ネジ
３６  管体差込部
４０  帯状体
４１  段部
４２  ストッパ
４３  爪
４４  凸部
【図１】
2005098352.tif 000003
【図２】
2005098352.tif 000004
【図３】
2005098352.tif 000005
【図４】
2005098352.tif 000006
【図５】
2005098352.tif 000007